(57)【特許請求の範囲】
【請求項１】
多数の透過孔を有する円筒状の周壁部と該周壁部の軸線方向の一端を閉じる底壁部とを備えたバスケットと、前記バスケットの内面に沿わせて配置されたフィルタと、前記バスケットを回転駆動する回転駆動機構とを備え、前記バスケットを回転させた状態で前記バスケット内に供給した原液を遠心力により液分とケーキ分とに分離する処理を行って前記フィルタの内側にケーキを形成する遠心分離機において、
前記バスケットの周壁部の軸線方向の他端には、径方向の内側に突出する突出部を有することなく軸線方向にストレートに開口した開口部が設けられ、
前記フィルタは、前記バスケットの周壁部の内面にフィットする筒状の形状に形成された胴部と、該胴部の軸線方向の一端を閉鎖するように設けられて前記バスケットの底壁部の内面にフィットするように形成された端板部と、前記胴部の軸線方向の他端から径方向の内側に突出した状態で設けられた環状端部壁とを一体に備えて、前記端板部を前記バスケットの底壁部の内面に添わせ、前記胴部を前記バスケットの周壁部の内面に添わせた状態で前記バスケット内に配置され、
前記フィルタの環状端部壁は、前記フィルタの内側に供給された原液及び前記フィルタの内側に形成されるケーキから受ける力に抗して前記胴部の軸線方向の他端から径方向の内側に突出した状態を保持するのに必要な強度を有するように形成され、
前記フィルタをその内部に形成されたケーキとともに前記バスケットの周壁部の他端側の開口部から外部に引き出し得るように構成されていること、
を特徴とする遠心分離機。
【請求項２】
前記バスケットの周壁部の内周面に該周壁部の軸線方向の前記一端側から他端側に向うに従って径が大きくなっていく向きのテーパがつけられている請求項１に記載の遠心分離機。
【請求項３】
前記バスケットを回転させて前記原液の処理を行なう際に前記フィルタの環状端部壁を前記バスケットの周壁部の開口部に対して固定する解除が可能なフィルタ固定手段が設けられている請求項１または２に記載の遠心分離機。
【請求項４】
前記バスケットの周壁部の開口端寄りの外周部に、先端を前記バスケットの周壁部の開口端よりもバスケットの開口方向の前方に位置させた延長筒体が嵌着されて、該延長筒体の内周部が前記バスケットの周壁部よりも内径が大きい拡大径部となっており、
前記フィルタ固定手段は、前記バスケットの周壁部の内周面より内径側に突出しないようにして前記拡大径部の内周に貼り付けられた第１の面ファスナーと、前記フィルタの環状端部壁の外面に前記バスケットの周方向に間隔をあけて取り付けられて前記第１の面ファスナーに切り離し可能な状態で結合される複数の結合具とからなり、
各結合具は、前記フィルタの環状端部壁の外面に固定された第２の面ファスナーと、前記第１の面ファスナーに結合される第３の面ファスナーを一方の面に有し、前記第２の面ファスナーに結合される第４の面ファスナーを他方の面に有して、前記第３の面ファスナーが第１の面ファスナーに結合された状態になる位置と前記第４の面ファスナーが前記第２の面ファスナーに結合された状態になる位置との間を回動し得るように一端が前記環状端部壁の外周側で前記第２の面ファスナーの端部に連結された両面ファスナーとからなっている請求項３に記載の遠心分離機。
【請求項５】
前記バスケットの周壁部の開口端寄りの外周部に、先端を前記バスケットの周壁部の開口端よりもバスケットの開口方向の前方に位置させた延長筒体が嵌着されて、該延長筒体の内周部が前記バスケットの周壁部よりも内径が大きい拡大径部となっており、
前記フィルタ固定手段は、前記フィルタの環状端部壁の外面に固定された第１の面ファスナーと、前記バスケットの周方向に間隔をあけて前記拡大径部の内面に取り付けられて前記第１の面ファスナーに切り離し可能な状態で結合される複数の結合具とからなり、
各結合具は、前記拡大径部の内面に固定された第２の面ファスナーと、前記第１の面ファスナーに結合される第３の面ファスナー及び前記第２の面ファスナーに結合される第４の面ファスナーを一方の面及び他方の面にそれぞれ有して、前記第３の面ファスナーが第１の面ファスナーに結合された状態になる位置と前記第４の面ファスナーが前記第２の面ファスナーに結合された状態になる位置との間を回動し得るように一端が前記第２の面ファスナーのフィルタ側の端部に連結された両面ファスナーとからなっている請求項３に記載の遠心分離機。
【請求項６】
前記両面ファスナーの前記第４の面ファスナーが第２の面ファスナーに結合されて、前記両面ファスナーが前記第２の面ファスナーに重ねられた状態で、該両面ファスナーが前記バスケットの周壁部の内周面より内径側に突出しないように前記第２の面ファスナーと両面ファスナーとの厚さが設定されている請求項５に記載の遠心分離機。
【請求項７】
前記フィルタ固定手段は、一定の長さを有して前記フィルタの環状端部壁に一端が固定された細長い連結部材と、該連結部材の他端を前記バスケットの周壁部の開口端面に係止する係止具とからなっている請求項３に記載の遠心分離機。
【請求項８】
前記フィルタをバスケットから外部に引き出す際に用いられる引っ張り具が結合される引っ張り具結合部材が前記フィルタの環状端部壁の外面に取り付けられている請求項１ないし７のいずれか一つに記載の遠心分離機。
【発明の詳細な説明】
【技術分野】
【０００１】
本発明は、原液を液分とケーキとに分離する処理を行うために用いる遠心分離機に関するものである。
【背景技術】
【０００２】
遠心分離機は、周壁部に透過孔を有するバスケットと、バスケットの内周に添わせて配置されたフィルタ（フィルタ）と、バスケットを回転駆動する回転駆動機構とを備えていて、回転しているバスケット内に供給された原液を遠心力により液分とケーキ分（固形物）とに分離する固液分離処理を行う。回転しているバスケット内に原液を供給すると、遠心力により、バスケットの内周に配置されたフィルタとバスケットの周壁部の透過孔とを通して脱液が行われる。これにより、バスケットの内面に添わせて配置されたフィルタの内周にケーキが堆積していき、フィルタの内側に円筒状のケーキブロックが形成されていく。バスケット内への給液と脱液とを繰り返し、フィルタの内周のケーキブロックの厚みが所定値に達したところでバスケット内への給液を終了する。バスケットを所定時間高速回転させてケーキブロックからの脱液を行った後、バスケットの内周に形成されたケーキブロックを洗浄液により洗浄する。その後、洗浄液を除去するための脱液を行って、フィルタの内側に洗浄されたケーキブロックを得る。
【０００３】
一般の遠心分離機では、このようにしてバスケット内に円筒状のケーキブロックを形成した後、ケーキをバスケットから外部に排出するためにケーキブロックをフィルタの内周から剥離する工程を行い、次いで吸引パイプを用いたり、排出シュートを用いたりしてバスケット内のケーキを外部に排出している。
【０００４】
上記のように、従来の遠心分離機においては、バスケット内に形成されたケーキブロックを外部に排出するために、ケーキブロックをフィルタから剥離する工程を行う必要があるため、掻取刃を備えたケーキ掻取装置をバスケット内に配置して、掻取刃で円筒状のケーキブロックからケーキを削り取ることにより、ケーキをバスケットから剥離するようにしていた。
【０００５】
このように、従来の遠心分離機においては、バスケット内にケーキ掻取装置を配置していたため、バスケット内に配置される機械部品が多くなり、バスケット内の構造が複雑になるのを避けられなかった。バスケット内に多くの機械部品が配置されていると、１ロットの処理が終了した後、遠心分離機の各部を洗浄する際に、多くの手間がかかるため、好ましくない。特にケーキに異物が混入することが許されない食品や薬品の分野で用いる遠心分離機では、各部の洗浄を念入りに行うことが要求されるため、バスケット内の構成はできるだけ簡素にしておくことが好ましい。
【０００６】
そこで、特許文献１に示されているように、バスケット内に配置されているフィルタを、その内部のケーキごと吊り上げて、バスケット外に取り出すようにした遠心分離機が提案された。従来の遠心分離機では、特許文献１にも示されているように、バスケットの開口端にバスケットの周壁部の端部から径方向の内側に突出した環状の端板が設けられていて、この端板の内周部がバスケットの開口部となっているため、バスケットの開口部が端板により狭められている。そのため、内部に円筒状のケーキブロックが形成された状態にあるフィルタをそのまま吊り上げようとしても、バスケットの端板がじゃまをして吊り上げることができない。
【０００７】
そこで、特許文献１に示された遠心分離機では、フィルタを吊り上げる際にフィルタの開口部を径方向の内側に引っ張ることにより、フィルタの開口部の径を縮小させる機構を設けて、フィルタの開口部の径を縮小させることにより、ケーキブロックを崩して、フィルタをバスケットから引き出すことを試みている。
【特許文献１】特開平４−１８９４９号公報
【発明の開示】
【発明が解決しようとする課題】
【０００８】
特許文献１に示された従来の遠心分離機では、内部にケーキブロックが形成されたフィルタをバスケットから吊り上げる際に、フィルタの開口部を径方向の内側に引っ張って、フィルタの開口部の径を縮小させることにより、ケーキブロックを崩すようにしているが、脱液が十分に行われた円筒状のケーキブロックは、硬いため、フィルタの開口部を径方向の内側に引っ張るだけで、バスケットの開口部の端板にじゃまされずにフィルタを引き出すことができる程度まで、ケーキブロックを崩すことは容易ではない。
【０００９】
なおケーキの脱液が不完全な状態にあって、ケーキブロックがきわめて柔らかい状態にあれば、特許文献１に示されたような方法でフィルタをバスケットから引き出すことが可能であるが、ケーキの脱液が不完全であると、その後の乾燥工程に非常に長い時間がかかるため、好ましくない。ケーキの脱液が不完全な段階で固液分離処理を中断させるような遠心分離機の使い方は、遠心分離機の機能を十分に活用していないことになるので、遠心分離機の本来の使い方とはいえない。
【００１０】
本発明の目的は、脱液が十分に行われたケーキブロックが内部に形成されているフィルタをそのままバスケットから外部に引き出すことができるようにして、ケーキ掻取装置を省略し、構成の簡素化を図ることができるようにした遠心分離機を提供することにある。
【課題を解決するための手段】
【００１１】
本発明は、多数の透過孔を有する円筒状の周壁部と該周壁部の軸線方向の一端を閉じる底壁部とを備えたバスケットと、バスケットの内面に沿わせて配置されたフィルタと、バスケットを回転駆動する回転駆動機構とを備え、バスケットを回転させた状態でバスケット内に供給した原液を遠心力により液分とケーキ分とに分離する処理を行ってフィルタの内側にケーキ層を形成する遠心分離機を対象とする。
【００１２】
本発明においては、バスケットの周壁部の軸線方向の他端に、径方向の内側に突出する突出部を有することなく軸線方向にストレートに開口した開口部が設けられる。フィルタは、バスケットの周壁部の内面にフィットする筒状の形状に形成された胴部と、該胴部の軸線方向の一端を閉鎖するように設けられてバスケットの底壁部の内面にフィットするように形成された端板部と、前記胴部の軸線方向の他端から径方向の内側に突出した状態で設けられた環状端部壁とを一体に備えて、端板部をバスケットの底壁部の内面に添わせ、胴部をバスケットの周壁部の内面に添わせた状態でバスケット内に配置される。またフィルタの環状端部壁は、フィルタの内側に供給された原液及び前記フィルタの内側に形成されるケーキ層から受ける力に抗して胴部の軸線方向の他端から径方向の内側に突出した状態を保持するのに必要な強度を有するように形成され、フィルタをその内部に形成されたケーキとともにバスケットの周壁部の他端側の開口部から外部に引き出し得るように構成されている。
【００１３】
フィルタが布などの柔軟性を有する材料により形成される場合でも、布を重ねるなどして環状端部壁の厚みを厚くしたり、環状端部壁を構成する材料として強度を有するものを選択したりすることにより、環状端部壁の強度を高めることができるので、フィルタの環状端部壁に上記の強度を持たせることは、難しいことではない。バスケットを回転させて原液を処理する際に、原液からフィルタに働く力の殆どは、遠心力によりバスケットの外径方向に働く力であり、バスケットの軸線方向には弱い力しか働かない。従って、フィルタの環状端部壁の厚みを厚くするなどして、該環状端部壁の強度を高めておくだけで、原液の処理中フィルタの環状端部壁を該フィルタの胴部の軸線方向の他端から径方向の内側に突出した状態に保持することができる。
【００１４】
上記のように、バスケットの周壁部の開口部の形状を、径方向の内側に突出した部分を有することなくストレートに開口した形状にするとともに、フィルタの環状端部壁に強度を持たせることにより、原液を処理する間、フィルタの環状端部壁を胴部の軸線方向の端部から径方向の内側に突出した状態に保持するようにしておくと、従来バスケットの開口部に設けられていた端板を省略して、内部にケーキブロックが形成されたフィルタの引出を妨げていた突出部をバスケットの開口部の内周に存在させないようにすることができるため、ケーキの脱液が終了し、バスケットを停止させた後に、フィルタをバスケットから容易に引き出すことができる。従って、従来必要としたケーキ掻取装置を省略することができ、遠心分離機の構造の簡素化を図ることができる。
【００１５】
本発明の好ましい態様では、バスケットの周壁部の内周面に該周壁部の軸線方向の一端側から他端側に向うに従って径が大きくなっていく向きのテーパ（バスケットの開口部側に向って径が大きくなっていく向きのテーパ）がつけられる。
【００１６】
上記のように、バスケットの周壁部の内周面に、バスケットの開口部側に向って径が大きくなっていく向きのテーパをつけておくと、内部にケーキが形成されたフィルタのバスケットからの引き出しを容易にすることができる。
【００１７】
内部にケーキブロックが形成されたフィルタのバスケットからの引き出しを容易にするためには、フィルタの環状端部壁を保持して該フィルタを吊り上げた際に、フィルタの径が縮小されるように、フィルタに可撓性を持たせておくのが好ましい。
【００１８】
フィルタの胴部、端板部及び環状端部壁をそれぞれ構成する材料は、同じでもよく、異なっていてもよい。フィルタの端板部を構成する材料及び環状端部壁を構成する材料は、液を透過させる性質を有しないものでもよい。フィルタの胴部は、布、合成繊維、ガラス不織布など、ろ過機能を有する任意の材料により構成することができ、布と微多孔性金属フィルタ材料（微細な透過孔が無数に形成された金属薄板からなるフィルタ材料）とを貼り合わせたもの等、複合材料により構成することもできる。
【００１９】
上記のように、フィルタは、内部のケーキブロックとともに吊り上げられた際に径が縮小し得る程度の可撓性を有していることが好ましいが、本発明においては、バスケットの開口部に径方向の内側に突出した部分が設けられないため、フィルタが可撓性を有していなくても、該フィルタをバスケットから引き出すことができる。従って、本発明においてフィルタが可撓性を有していることは必須ではない。
【００２０】
フィルタの胴部が、ガラス不織布のような、ある程度の自立性を有する材料からなっている場合には、フィルタをバスケット内に挿入するだけで、フィルタの胴部をバスケットの周壁部の内周にフィットさせた状態に保持することができるが、フィルタの胴部が布のような柔軟性に富んだ材料からなっている場合には、フィルタの環状端部壁を保持する手段を設けておかないと、フィルタがその質量によりバスケットの底壁部側に変位して収縮し、その胴部がしわになるおそれがある。
【００２１】
そこで、本発明の好ましい態様では、バスケットを回転させて原液の処理を行なう際にフィルタの環状端部壁をバスケットの周壁部の開口部に対して固定する、解除が可能なフィルタ固定手段が設けられる。
【００２２】
上記のように、フィルタ固定手段を設けておくと、フィルタの環状端部壁を所定の位置に保持することができるため、フィルタの胴部の材質が柔らかい場合に、フィルタがその質量によりバスケットの底壁部側に収縮して胴部にしわが形成されるのを防ぐことができる。
【００２３】
本発明の好ましい態様では、フィルタ固定手段の取り付けを容易にするため、バスケットの周壁部の開口端寄りの外周部に、先端をバスケットの周壁部の開口端よりもバスケットの開口方向の前方に位置させた延長筒体が嵌着されて、該延長筒体の内周部がバスケットの周壁部よりも内径が大きい拡大径部とされる。
【００２４】
上記フィルタ固定手段は、例えば、バスケットの周壁部の内周面より内径側に突出しないようにして上記拡大径部の内周に貼り付けられた第１の面ファスナーと、フィルタの環状端部壁の外面にバスケットの周方向に間隔をあけて取り付けられて第１の面ファスナーに切り離し可能な状態で結合される複数の結合具とにより構成される。
【００２５】
この場合、各結合具は、フィルタの環状端部壁の外面に固定された第２の面ファスナーと、第１の面ファスナーに結合される第３の面ファスナーを一方の面に有し、第２の面ファスナーに結合される第４の面ファスナーを他方の面に有して、第３の面ファスナーが第１の面ファスナーに結合された状態になる位置と第４の面ファスナーが第２の面ファスナーに結合された状態になる位置との間を回動し得るように一端がフィルタの環状端部壁の外周側で第２の面ファスナーの端部に連結された両面ファスナーとにより構成することができる。
【００２６】
上記フィルタ固定手段はまた、フィルタの環状端部壁の外面に固定された第１の面ファスナーと、バスケットの周方向に間隔をあけて拡大径部の内面に取り付けられて第１の面ファスナーに切り離し可能な状態で結合される複数の結合具とにより構成することもできる。
【００２７】
この場合各結合具は、拡大径部の内面に固定された第２の面ファスナーと、第１の面ファスナーに結合される第３の面ファスナー及び第２の面ファスナーに結合される第４の面ファスナーを一方の面及び他方の面にそれぞれ有して、第３の面ファスナーが第１の面ファスナーに結合された状態になる位置と第４の面ファスナーが第２の面ファスナーに結合された状態になる位置との間を回動し得るように一端が第２の面ファスナーのフィルタ側の端部に連結された両面ファスナーとにより構成することができる。
【００２８】
この場合、第４の面ファスナーが第２の面ファスナーに結合されて、両面ファスナーが第２の面ファスナーに重ねられた状態で、該両面ファスナーがバスケットの周壁部の内周面より内径側に突出しないように第２の面ファスナーと両面ファスナーとの厚さを設定しておくのが好ましい。
【００２９】
上記のように、バスケットの周壁部の開口端寄りの外周部に延長筒体を嵌着して、該延長筒体の内周部をバスケットの周壁部よりも内径が大きい拡大径部とし、フィルタ固定手段の構成要素のうち、バスケット側に配置される要素をこの拡大径部に取り付けるようにしておくと、バスケットの開口部に、内径側に突出した部分が形成されるのを防ぐことができるため、フィルタの引出になんら支障を来すことなく、フィルタの環状端部壁をバスケットの開口部に対して所定の位置に保持する手段を設けることができる。
【００３０】
上記のように、結合具を面ファスナーにより構成する場合、フィルタをバスケットから引き出す際に、結合具を構成するためにフィルタの環状端部壁に取り付けられた面ファスナーを利用して、フィルタの開口部を閉じる蓋をフィルタの環状端部壁に取り付けることができる。このように、フィルタの開口部を閉じる蓋をフィルタの環状端部壁に取り付けるようにすると、フィルタをバスケットから引き出す過程、及びフィルタをバスケットから引き出した後次の工程に搬送する過程で、フィルタ内に異物が侵入するのを防ぐことができる。
【００３１】
上記フィルタ固定手段は、面ファスナーを用いたものに限定されない。例えば、一定の長さを有してフィルタの環状端部壁に一端が固定された細長い連結部材と、該連結部材の他端をバスケットの周壁部の開口端面に係止する係止具とによりフィルタ固定手段を構成することもできる。連結部材としては、ひも、ロープ、テープ等を用いることができる。連結部材としてひもやロープを用いる場合には、係止具としてバスケットの周壁部の開口端面に固定したピンやフックを用いて、該連結部材の他端に形成したループを該ピンやフックに引っ掛けることにより、連結部材の他端をバスケットの周壁部の開口端面に係止するようにすることができる。
【００３２】
このようにフィルタ固定手段を構成した場合には、バスケットの周壁部の開口端側に延長筒体を取り付けて拡大径部を形成する必要がないので、バスケットの構造を簡単にすることができる。
【００３３】
上記フィルタは金属により構成することもできる。この場合、フィルタは、微細な孔を無数に有する金属板からなっていてバスケットの周壁部の内面にフィットする筒状の形状に形成された胴部と、該胴部の軸線方向の一端から径方向の内側に突出した状態で設けられてバスケットの底壁部の内面にフィットするように形成された金属製の端板部と、胴部の軸線方向の他端から径方向の内側に突出した状態で設けられた金属製の環状端部壁とを備えた構成とすることができる。
【００３４】
この場合も、フィルタの環状端部壁は、フィルタの内側に供給された原液及びフィルタの内側に形成されるケーキから受ける力に抗して前記胴部の軸線方向の他端から径方向の内側に突出した状態を保持するのに必要な強度を有するように形成され、フィルタをその内部に形成されたケーキとともにバスケットの周壁部の他端側の開口部から外部に引き出し得るように構成される。
【００３５】
上記のようにフィルタを金属により形成すると、その環状端部壁に必要な強度を容易に持たせることができる。
【００３６】
上記のようにフィルタを金属により構成する場合、端板部は胴部の軸線方向の一端側を完全に閉鎖するように設けられていてもよく、一定の幅をもって胴部の周方向に延びる環状の形状に形成されていてもよい。
【００３７】
本発明の好ましい態様では、フィルタをバスケットから外部に引き出す際に引っ張り具が結合される引っ張り具結合部材がフィルタの環状端部壁の外面に取り付けられる。
【００３８】
このように引っ張り具を結合するために用いる結合部材をフィルタの環状端部壁に取り付けておくと、フィルタを引き出す際に引っ張り具（例えば吊り上げ用のロープ）をフィルタに容易に取り付けることができるため、フィルタをバスケットから引き出す作業を容易にすることができる。
【発明の効果】
【００３９】
以上のように、本発明によれば、バスケットの周壁部の開口部の形状を、径方向の内側に突出した部分を有することなくストレートに開口した形状にするとともに、フィルタの環状端部壁に強度を持たせることにより、原液を処理する間、フィルタの環状端部壁を径方向の内側に突出した状態に保持させるようにしたので、バスケットの開口部の内側にフィルタの引出を妨げる突出部を存在させないようにすることができる。従って、ケーキの脱液が終了し、バスケットを停止させた後、内部にケーキブロックが形成されているフィルタを、そのままバスケットから容易に引き出すことができる。従って、従来必要としたケーキ掻取装置を省略することができ、遠心分離機の構造の簡素化を図ることができる。
【００４０】
また本発明において、バスケットを回転させて原液の処理を行なう際にフィルタの環状端部壁をバスケットの周壁部の開口部に対して固定する解除が可能なフィルタ固定手段を設けた場合には、原液の処理を行っている間、フィルタの環状端部壁を所定の位置に保持することができるため、フィルタの胴部の材質が柔らかい場合に、フィルタがその質量によりバスケットの底壁部側に収縮変位して胴部にしわが形成されるのを防ぐことができる。
【発明を実施するための最良の形態】
【００４１】
以下図面を参照して本発明の好ましい実施形態を詳細に説明する。
図１ないし図６は本発明の一実施形態を示したもので、図１は本実施形態に係わる遠心分離機の縦断面図、図２は内部にフィルタが挿入されたバスケットの上面図、図３はバスケットの開口部付近の拡大縦断面図、図４はバスケット内にフィルタが挿入された状態を示すバスケットの開口部付近の拡大縦断面図、図５はバスケット内にフィルタを挿入してフィルタの環状端部壁をバスケットの開口部に対して固定した状態を示した拡大縦断面図、図６はバスケットからフィルタをその内部のケーキとともに引き出す際の状態を示す縦断面図である。
【００４２】
図１において、１はバスケット、２はバスケット１を支持したフレーム、３はフレーム２を支えるショックアブソーバ突きの脚部、４はバスケット１を回転駆動するモータ、５はバスケット１を覆うケーシングである。
【００４３】
バスケット１は、多数の透過孔１ｈ（図３参照）を有する円筒状の周壁部１０１と、該周壁部の軸線方向の一端を閉じる底壁部１０２とを備え、底壁部１０２の中央部にはボス部１０３が形成されている。バスケット１の周壁部１０１の開口端寄りの外周部に、先端をバスケットの周壁部の開口端よりもバスケットの開口方向の前方に５ないし１０cm突出させた延長筒体１０４が嵌着され、この延長筒体の内周部が、バスケット１の周壁部１０１よりも内径が大きい拡大径部１０５（図２、図３参照）とされている。本発明においては、バスケット１の周壁部１０１の開口部側に、径方向の内側に突出した突出部が一切設けられていないため、バスケット１の開口部１Ａ（図３参照）は、軸線方向にストレートに開口した開口部となっている。本実施形態では、バスケット１がその中心軸線を垂直方向に向け、開口部１Ａを上方に向けた状態で配置される。
【００４４】
フレーム２は、少なくとも３つの脚部３によりベース６の上に支持されていて、そのほぼ中央部には、筒状の軸受け保持部２０１が形成されている。軸受け保持部２０１内に収容された軸受け７，８により、垂直方向に延びる回転軸９が回転自在に支持され、この回転軸９の上端に設けられたテーパ部が、バスケット１の底壁部に設けられたボス部１０３の軸心部に設けられたテーパ孔に嵌合されてボス部１０３にキー止めされている。回転軸９の下端には、プーリ１０が取り付けられている。
【００４５】
モータ４はフレーム２の下部に固定されたモータ支持台１１の上に、その回転軸４ａを下方に突出させた状態で支持され、回転軸４ａの下端にプーリ１２が取り付けられている。そしてプーリ１２とバスケットの回転軸９の下端に取り付けられたプーリ１０とが、ベルト１３を介して結合され、モータ４の回転がプーリ１２、ベルト１３及びプーリ１０からなる動力伝達機構を介してバスケット１に伝達されて、バスケット１が回転駆動されるようになっている。この例では、モータ４と、ベルト１３及びプーリ１０，１２からなる動力伝達機構とにより、バスケット１を回転駆動する回転駆動機構が構成されている。
【００４６】
ケーシング５は、バスケット１を同心的に囲むように配置されてフレーム２に支持された円筒状のケーシング本体５０１と、ケーシング本体５の上部に蝶番１５を介して開閉自在に取り付けられて、ケーシング本体５０１の上端に設けられた開口部５０１ａを開閉する蓋５０２とを備えている。蓋５０２は図示しない流体圧シリンダにより操作されて、図１に示すようにケーシング本体の開口部を閉じた状態になる閉位置と、図６に示すようにケーシング本体の開口部を開いた状態になる開位置との間を回動させられる。
【００４７】
ケーシング５の蓋５０２を貫通させて、原液供給パイプ１６と洗浄液供給パイプ１７とが取り付けられ、図１に示すように蓋５０２を閉位置に位置させた際に、原液供給パイプ１６及び洗浄液供給パイプ１７がバスケット内に挿入されるようになっている。
【００４８】
バスケット１内には、フィルタ２０が挿入される。フィルタ２０は、バスケット１の周壁部１０１の軸線方向寸法に等しい軸線方向寸法を有してバスケット１の周壁部の内面にフィットする筒状の形状に形成された胴部２０ａと、該胴部２０ａの軸線方向の一端を閉鎖するように設けられてバスケット１の底壁部１０２の内面にフィットするように形成された端板部２０ｂと、胴部２０ａの軸線方向の他端から径方向の内側に突出した状態で設けられた環状端部壁２０ｃとを一体に備えている。フィルタ２０は、原液を処理するのに先立って、端板部２０ｂをバスケット１の底壁部１０２の内面に添わせ、胴部２０ａをバスケット１の周壁部１０１の内面に添わせた状態でバスケット１内に配置される。
【００４９】
フィルタ２０の環状端部壁２０ｃは、フィルタ２０の内側に供給された原液及びフィルタの内側に形成されるケーキから受ける力に抗して胴部の軸線方向の他端から径方向の内側に突出した状態を保持するのに必要な強度を有するように形成されている。フィルタ２０全体を布で形成する場合には、環状端部壁２０ｃの部分だけ布を多数枚重ねて形成することにより、環状端部壁２０ｃに上記のような強度を持たせることができる。
【００５０】
本実施形態では、フィルタ２０が布からなっていて、その胴部２０ａが自立性（支えなくても本来の形を維持する性質）を有しないため、バスケット１を回転させて原液の処理を行なう際にフィルタ２０の環状端部壁２０ｃをバスケット１の周壁部１０１の開口部１Ａに対して固定する解除が可能なフィルタ固定手段２１が設けられている。
【００５１】
図示のフィルタ固定手段２１は、バスケット１の周壁部１０１の内周面より内径側に突出しないようにして拡大径部（延長筒体１０４の内周）１０５の内周に貼り付けられた第１の面ファスナー２２（図３参照）と、フィルタの環状端部壁２０ｃの外面にバスケットの周方向に間隔をあけて取り付けられて第１の面ファスナー２２に切り離し可能な状態で結合される複数の結合具２３，２３，…とからなっている。本実施形態では、第１の面ファスナー２２が拡大径部１０５の内周面全体に存在するように設けられている。
【００５２】
図４及び図５に示したように、各結合具２３は、フィルタ２０の環状端部壁２０ｃの外面に固定された矩形状の第２の面ファスナー２４と、第１の面ファスナー２２に結合される第３の面ファスナー２５ａを一方の面に有し、第２の面ファスナー２４に結合される第４の面ファスナー２５ｂを他方の面に有して、図５に示すように第３の面ファスナー２５ａが第１の面ファスナー２２に結合された状態になる位置と図５に示すように第４の面ファスナー２５ｂが第２の面ファスナー２４に結合された状態になる位置との間を回動し得るように、一端が環状端部壁２０ｃの外周側で連結部２６により第２の面ファスナー２４の端部に連結された矩形状の両面ファスナー２５とからなっている。
【００５３】
またフィルタ２０の環状端部壁には、フィルタ２０をバスケット１から外部に引き出す際に引っ張り具を引っ掛けて結合するために用いる環（引っ張り具結合部材）２７が少なくとも３個（図示の例では４個）環状端部壁２０ｃの周方向にほぼ等間隔をあけて取り付けられている。
【００５４】
上記の遠心分離機により原液を液分とケーキ分とに分離する処理を行う際には、ケーシング５の蓋５０２を開いた状態で、バスケット１内にフィルタ２０を挿入して、図１に示すように、その端板部２０ｂをバスケット１の底壁部１０２の内面に添わせ、胴部２０ａをバスケット１の周壁部１０１の内面に添わせた状態にする。フィルタ２０をバスケット内に挿入する際には、図４に示すように、結合具２３の両面ファスナー２５の第４の面ファスナー２５ｂを第２の面ファスナー２４に結合した状態にしておく。バスケットの開口部には、径方向の内側に突出した部分が存在しないため、フィルタ２０をバスケット１内に挿入する作業は容易に行うことができる。
【００５５】
フィルタ２０をバスケット内に挿入した後、結合具２３の両面ファスナー２５を第２の面ファスナー２４から引きはがして、図５に示すように、該両面ファスナーの第３の面ファスナー２５ａを第１の面ファスナー２２に結合させる。これにより、フィルタ２０の環状端部壁２０ｃをバスケット１の周壁部の開口部に対して固定して、フィルタ２０の胴部２０ａをバスケット１の周壁部１０１の内周に添わせた状態に保持する。
【００５６】
上記のようにしてバスケット内にフィルタを装着した後、ケーシング５の蓋５０２を閉じ、バスケット１を高速回転させながら、原液供給パイプ１６からバスケット内に原液を供給する。バスケット内に供給された原液中の液分は遠心力によりフィルタ２０の胴部２０ａの微細な孔または隙間とバスケットの周壁部１０１の透過孔１ｈと通してバスケットの外部に排出され、原液が液分とケーキ分とに分離される。本発明に係わる遠心分離機では、バスケットの開口部に、フィルタの環状端部壁２０ｃを押える端板が設けられていないが、原液の処理を行う過程でフィルタにかかる力の殆どは径方向の外側に向う力であり、バスケットの径方向に働く力は弱いため、フィルタの環状端部壁２０ｃをある程度補強しておけば、該環状端部壁が押し上げられて原液がバスケットの開口部側に流出するようなことはない。原液の固液分離処理が進むにつれて、フィルタ２０の胴部の内周にケーキが円筒状に堆積していき、フィルタ内に円筒状のケーブロックＣが形成される。
【００５７】
ケーキブロックの内周部がフィルタ２０の環状端部壁２０ｃの内周部に近づいたところでバスケット内への原液の供給を停止し、バスケットを高速回転した状態でケーキブロックの脱液を行う。ケーキブロックの脱液が終了した後、バスケットを高速回転させた状態で、洗浄液供給パイプ１７を通してバスケット内に洗浄液を供給し、該洗浄液の脱液を行わせながらケーキの洗浄を行う。
【００５８】
ケーキの洗浄が完了し、ケーキブロックの脱液を十分に行った後、バスケットを停止させて、ケーシングの蓋５０２を開き、図４に示すように結合具２３の両面ファスナー２５を第１の面ファスナー２２から引きはがして、第２の面ファスナー２４に結合することにより、フィルタ２０の環状端部壁２０ｃのバスケットに対する固定を解除する。
【００５９】
その後、図６に示したように、フィルタ２０の環状端部壁２０ｃに取り付けられた複数の環２７にそれぞれ複数本の副吊り上げ用ロープ３０の下端に取り付けられたフック３１を引っ掛け、複数本の副吊り上げロープ３０の上端をまとめて一本の主吊り上げロープ３２につなぐ。次いで主吊り上げロープ３２を図示しないクレーンで引き上げ、複数の副吊り上げロープ３０を斜めに張った状態で、フィルタ２０を引き上げる。ロープ３０を引き上げると、可撓性を有するフィルタの環状端部壁２０ｃ及び胴部２０ａの環状端部壁２０ｃ寄りの部分を通して、フィルタの内部のケーキブロックＣの径を縮小させようとする向きの力が働くため、ケーキブロックＣの形が崩れ、フィルタ２０の胴部２０ａの外径が縮小する。これにより、フィルタの胴部２０ａがバスケット１の周壁部１０１の内周から剥離した状態になり、フィルタ２０はバスケット１から容易に引き出される。図６において、Ｃ′はフィルタ２０とともに引き出されたケーキを概略的に示している。ケーキブロックが硬い場合には、フィルタをバスケットから引き出した際に図示のようにケーキが完全に崩壊するとは限らないが、本発明に係わる遠心分離機では、バスケットの周壁部の開口部に径方向の内側に突出した部分が存在しないため、ケーキブロックが硬く、ケーキブロックが崩壊しなかったとしても、バスケット内からのフィルタの引出を行うことができる。
【００６０】
フィルタのバスケットからの引き出しを容易にするためには、バスケット１の周壁部の内周面に該周壁部の軸線方向の一端側から他端側に向うに従って径が大きくなっていく向きのテーパ（バスケットの開口部側に向って径が大きくなっていく向きのテーパ）をつけておくのが好ましい。このように、バスケットの周壁部の内周面に、バスケットの開口部側に向って径が大きくなっていく向きのテーパをつけておくと、内部にケーキが形成されたフィルタのバスケットからの引き出しを容易にすることができる。
【００６１】
なおフィルタ２０を引き出す際に、フィルタ２０がケーシング５の開口部５０１ａの内周と干渉しないようにするため、ケーシング５の開口部５０１ａの内径は、バスケット１の周壁部１０１の内径以上に設定しておく。
【００６２】
上記の実施形態では、フィルタの環状端部壁をバスケットの開口端に対して固定するフィルタ固定手段を構成する結合具２３を、フィルタ２０の環状端部壁２０ｃに固定しているが、図７及び図８に示すように、フィルタの環状端部壁２０ｃの外面に第１の面ファスナー２２を固定し、延長筒体１０４の内周面（拡大径部）に複数の結合具２３を、バスケットの周方向に間隔をあけて取り付けるようにしてもよい。この場合、各結合具２３は、拡大径部１０４の内面に固定された第２の面ファスナー２４と、第１の面ファスナー２２に結合される第３の面ファスナー２５ａ及び第２の面ファスナー２４に結合される第４の面ファスナー２５ｂを一方の面及び他方の面にそれぞれ有して、図７に示したように第３の面ファスナー２５ａが第１の面ファスナー２２に結合された状態になる位置と、図８に示すように第４の面ファスナー２５ｂが第２の面ファスナー２４に結合された状態になる位置との間を回動し得るように、一端が連結部２６により第２の面ファスナーのフィルタ側の端部に連結された両面ファスナー２５とにより構成することができる。フィルタ２０の環状端部壁２０ｃに取り付ける第１の面ファスナー２２は、環状端部壁２０ｃの全周に亘るように設けられている。
【００６３】
このように、延長筒体１０４の内周に結合具２３を取り付ける場合には、図８に示すように両面ファスナー２５の第４の面ファスナー２５ｂを第２の面ファスナー２４に結合して、両面ファスナー２５を第２の面ファスナー２４に重ねた状態（結合具２３を折りたたんだ状態）で、両面ファスナー２５がバスケットの周壁部１０１の内周面より内径側に突出することがないように、第２の面ファスナー２４と両面ファスナー２５との厚さを設定しておくのが好ましい。
【００６４】
上記の各実施形態のように、フィルタの環状端部壁２０ｃをバスケットの開口部に対して固定するフィルタ固定手段を面ファスナーを用いて構成する場合には、フィルタの環状端部壁に取り付けられた面ファスナーを利用して、フィルタ２０をバスケット１から引き出す際に該フィルタの開口部を閉じる蓋を取り付けることができる。図９はフィルタ２０の環状端部壁２０ｃの外面に蓋４０を取り付けた状態の一例を示したもので、この例では、図７及び図８に示した実施形態と同様に、結合具２３が延長筒体１０４の内周に取り付けられている。フィルタ２０の環状端部壁２０ｃの外面には、第１の面ファスナー２２が、該環状端部壁２０ｃの全周に亘って延びるように設けられており、蓋４０の裏面に固定された面ファスナー（図示せず。）が第１の面ファスナー２２に結合されている。蓋４０は、布やビニールシート等の柔軟性を有するシート材からなっていて、フィルタ２０の環状端部壁２０ｃの内周側の開口部を閉じることができるように円板状に構成され、その外周部には、フィルタ２０の環状端部壁に取り付けられた環２７を避けるための切り欠き４０ａが形成されている。ケーキの洗浄が完了してバスケットが停止され、結合具２３の両面ファスナー２５が第１の面ファスナーから剥がされて図８に示すように折りたたまれた後に、蓋４０の裏面の外周寄りの部分に貼り付けられた図示しない面ファスナーが第１の面ファスナー２２に結合されて、蓋４０がフィルタ２０の環状端部壁に取り付けられる。
【００６５】
図９に示したように、フィルタ２０の開口部を閉じる蓋を取り付けた状態で、フィルタ２０をバスケット１から引き出す工程を行うようにすると、フィルタを次の工程に搬送する過程でフィルタ内のケーキに異物が混入するのを防ぐことができる。
【００６６】
上記の各実施形態では、フィルタ固定手段を面ファスナーを用いて構成したが、フィルタ固定手段は、面ファスナーを用いたものに限定されない。例えば、図１０に示すように、一定の長さを有してフィルタの環状端部壁に一端５０ａが固定された細長い連結部材５０と、該連結部材５０の他端５０ｂをバスケットの周壁部１０１の開口端面に係止する係止具５１とによりフィルタ固定手段２１を構成することもできる。この場合、連結部材５０及び係止具５１はバスケットの周方向に間隔をあけて少なくとの３個ずつ設けておく。
【００６７】
連結部材５０としては、ひも、ロープ、テープ等を用いることができる。図１０に示した例では、連結部材５０がひもからなっていて、その一端５０ａがフィルタ２０の環状端部壁２０ｃに縫いつけられている。図示の係止具５１は、バスケット１の周壁部１０１の開口端面に溶接やネジ結合等により固定されたピンからなり、連結部材５０を構成するひもの他端に形成されたループ５０ｂが、係止具５１を構成するピンに引っ掛けられている。
【００６８】
上記のように、バスケット１の周壁部の開口端面に係止具５１を固定しておく場合には、該係止具５１が、バスケットの周壁部の内周から径方向の内側に突出しないようにしておく。
【００６９】
なお係止具５１はバスケットの周壁部の開口端面に固定されたピンに限られるものではない。例えば、連結部材の他端に取り付けられたフックを係止具として、該フックをバスケットの周壁部の開口端部に引っ掛けることにより連結部材５０の他端をバスケットの周壁部１０１の開口端面に係止するようにしてもよい。
【００７０】
上記の説明では、フィルタ２０全体が布からなっているとしたが、フィルタ２０の胴部２０ａ、端板部２０ｂ及び環状端部壁２０ｃをそれぞれ構成する材料は同じでもよく、異なっていてもよい。フィルタの端板部を構成する材料及び環状端部壁を構成する材料は、液を透過させる性質を有しないものでもよい。フィルタの胴部は、布、合成繊維、ガラス不織布など、ろ過機能を有する任意の材料により構成することができる。フィルタの胴部を自立性を有する材料により構成する場合には、フィルタの環状端部壁２０ｃをバスケットの周壁部の開口端に対して固定する手段を省略することができる。
【００７１】
上記の実施形態のように、フィルタの各部に可撓性を持たせておくと、フィルタを引き出す際に、該フィルタを縮径させることができるため、ケーキブロックが内部に形成されたフィルタの引き出しを容易にすることができる。しかし本発明においては、バスケットの周壁部の開口部に径方向の内側に突出した部分が存在しないため、フィルタの各部が可撓性を有していなくてもフィルタをバスケットから引き出すことが可能である。従って、本発明においては、フィルタの各部が可撓性を有しない材料からなっていてもよい。
【００７２】
フィルタの胴部に自立性を持たせ、かつその縮径を可能にするために、図１１に示すように、布製の胴部本体２０ａの内周に断面が円弧状を呈する微多孔性金属フィルタの板Ｆを複数枚間隔をあけて貼り付けた構造にすることができる。なお図１１においては、フィルタの環状端部壁の図示が省略されている。
【００７３】
このようにフィルタの胴部の内周に金属フィルタを貼り付けておくと、胴部２０ａに自立性を持たせることができるため、フィルタの環状端部壁２０ｃをバスケットの周壁部の開口端に対して固定する手段を省略することができる。また複数枚の金属フィルタ相互間に間隔をあけておけば、フィルタ２０を吊り上げてバスケットから引き出す際に、フィルタの胴部の径を縮小させてケーキブロックの形を崩すことができるため、フィルタのバスケットからの引出を容易にすることができる。
【００７４】
図１２は本発明の他の実施形態で用いるフィルタの構成例を示したものである。本実施形態に係わる遠心分離機のフィルタ以外の部分の構成は図１に示された実施形態と同様でよい。本実施形態においても、バスケット１の周壁部１０１の軸線方向の他端には、径方向の内側に突出する突出部を有することなく軸線方向にストレートに開口した開口部が設けられる。図１に示した実施形態では、布などからなっていて、自立性を有しないフィルタ２０を支えておくために、バスケットの周壁部の開口部側の端部外周に延長用筒体１０４が設けられていたが、本実施形態においては、フィルタ２０が金属により形成されるので、延長用筒体１０４はなくてもよい。
【００７５】
本実施形態では、フィルタ２０が、微細な孔を無数に有する金属板からなっていてバスケットの周壁部の内面にフィットする筒状の形状に形成された胴部２０ａと、該胴部２０ａの軸線方向の一端から径方向の内側に突出した状態で設けられてバスケットの底壁部の内面にフィットするように形成された金属製の端板部２０ｂと、胴部２０ａの軸線方向の他端から径方向の内側に突出した状態で設けられた金属製の環状端部壁２０ｃとを備えている。このフィルタは、端板部２０ｂをバスケットの底壁部の内面に添わせ、胴部２０ａをバスケットの周壁部の内面に添わせた状態でバスケット内に配置される。
【００７６】
本実施形態では、環状端部壁２０ｃの外周部に円筒状の環状部材２０ｄの軸線方向の一端が溶接され、該環状部材２０ｄが胴部２０ａの内周に嵌合されている。環状部材２０はネジにより胴部２０ａに締結され、環状部材２０ｄを胴部２０ａに締結しているネジを外すことにより、環状端部壁２０ｃを胴部２０ａから取り外すことができるようになっている。即ち、環状端部壁２０ｃは、胴部２０ａに着脱可能な状態で取り付けられている。
【００７７】
本実施形態においても、フィルタの環状端部壁が、フィルタの内側に供給された原液及びフィルタの内側に形成されるケーキから受ける力に抗して胴部の軸線方向の他端から径方向の内側に突出した状態を保持するのに必要な強度を有するように形成されるが、本実施形態においては、環状端部壁が金属により形成されるので、該環状端部壁に強度を持たせることは容易である。
【００７８】
本発明においては、バスケットの開口部が、径方向の内側に突出する突出部を有しない、ストレートな開口部となっているので、上記のように、フィルタが金属により形成される場合でも、該フィルタをバスケットから容易に引き出すことができる。
【００７９】
本実施形態においては、フィルタの胴部２０ａの軸線方向の一端側の外径Ｒ1が、該胴部の軸線方向の他端側の外径Ｒ2よりも僅かに小さく設定されていて、胴部２０ａの軸線方向の一端側から他端側に向って外径が徐々に大きくなっていく向きの僅かなテーパがつけられている。
【００８０】
また、この例では、フィルタ２０をバスケットから外部に引き出す際に引っ張り具が結合される引っ張り部結合具２７がフィルタ２０の環状端部壁２０ｃの外面に取り付けられている。
【００８１】
上記のように、金属製のフィルタの胴部にテーパをつける場合には、バスケット（図示せず。）の周壁部の内周面にもフィルタの胴部のテーパと同じテーパ角のテーパをつけて、フィルタの胴部の外周面をバスケットの周壁部の内周面に密着させるようにしておく。
【００８２】
上記のようにフィルタ２０の胴部２０ａ及びバスケットの周壁部の内周面にテーパをつけておくと、フィルタ２０内にケーキが形成された後、引っ張り部結合具２７に引っ張り具を引っ掛けて該フィルタを引き上げることにより、フィルタをバスケットから容易に引き出すことができる。
【００８３】
図１２に示した例では、フィルタの端板部２０ｂが、フィルタの胴部２０ａの軸線方向の一端側を完全に閉じるように設けられているが、端板部２０ｂは、図１３に示したように、一定の幅をもって胴部２０ａの周方向に延びる環状の形状に形成されていてもよい。この場合には、バスケットの底壁部１０２の内面に環状の端板部２０ｂを嵌合させる浅い溝を形成しておくのが好ましい。
【００８４】
図１４は本発明で用いることができるフィルタの他の例を示したもので、この例では、フィルタ２０が布からなっていて、その端板部２０ｂの中央部にスリーブ状部分２０b1が形成されている。このフィルタを用いる場合には、図１５に示したようにスリーブ状部分２０b1を反転させて外側に引き出した状態で紐６０で縛るなどしてスリーブ状部分２０b1を閉じ、紐で縛られたスリーブ状部分を再度反転させて元に戻した状態で、図１６に示すようにフィルタ２０をバスケット１内に配置する。そして、フィルタ２０の内側にケーキＣが形成された後に図１７に示すようにフィルタ２０を吊り上げてバスケット１から引き出す。次いで、図１８に示すようにフィルタ２０をケーキ収容容器６１の上方に移動させ、スリーブ状部分２０b1を縛っていた紐６０を外してスリーブ状部分２０b1を開くことにより、ケーキＣを容器６１内に排出する。
【００８５】
上記のようなフィルタを用いると、フィルタ内に形成されたケーキの排出を容易にすることができる。
【００８６】
上記の説明では、バスケットが、その中心軸線を垂直方向に向けた状態で配置される遠心分離機に本発明を適用したが、バスケットの中心軸線を水平方向に向けて配置する場合や、水平方向に対して傾斜させた状態で配置する場合にも本発明を適用することができる。
【図面の簡単な説明】
【００８７】
【図１】本発明の一実施形態に係わる遠心分離機の縦断面図である。
【図２】同遠心分離機のバスケットの上面図である。
【図３】フィルタがバスケット内に挿入されていない状態での図１のＺ部の拡大断面図である。
【図４】フィルタがバスケット内に挿入された状態での図１のＺ部の拡大断面図である。
【図５】バスケット内に挿入されたフィルタの環状端部壁に取り付けられた結合具の面ファスナーをバスケットの周壁部の開口端部側に設けられた面ファスナーに結合した状態を示した図１のＺ部の拡大断面図である。
【図６】本発明の一実施形態においてフィルタをバスケットから引き出した状態を示した縦断面図である。
【図７】本発明の他の実施形態に係わる遠心分離機のバスケットの上面図である。
【図８】図７の実施形態に係わる遠心分離機の要部の拡大断面図である。
【図９】図７及び図８に示した実施形態に係わる遠心分離機において、フィルタの開口部を蓋で閉じた状態を示した上面図である。
【図１０】本発明の更に他の実施形態の要部の拡大断面図である。
【図１１】本発明で用いるフィルタの変形例を示した横断面図である。
【図１２】本発明の更に他の実施形態で用いるフィルタの縦断面図である。
【図１３】本実施形態で用いるフィルタの変形例を示した縦断面図である。
【図１４】本発明で用いることができるフィルタの他の例を模式的に示した縦断面端面図である。
【図１５】図１４に示したフィルタの底部に設けられたスリーブ状部分を縛って閉じた状態を模式的に示した縦断面端面図である。
【図１６】図１４に示したフィルタをバスケット内に配置した状態を模式的に示した縦断面端面図である。
【図１７】ケーキが形成された後に同フィルタを吊り上げてバスケットから引き出した状態を模式的に示した縦断面端面図である。
【図１８】同フィルタの内部からケーキを排出する際の状態を模式的に示した縦断面端面図である。
【符号の説明】
【００８８】
１  バスケット
１０１  周壁部
１０２  底壁部
１０３  ボス部
１０４  延長筒体
１０５  拡大径部
１ｈ  透過孔
４  モータ
９  回転軸
２０  フィルタ
２０ａ  フィルタの胴部
２０ｂ  フィルタの底部
２０ｃ  フィルタの環状端部壁
２１    フィルタ固定手段
２２  第１の面ファスナー
２３  結合具
２４  第２の面ファスナー
２５  両面ファスナー
２５ａ  第３の面ファスナー
２５ｂ  第４の面ファスナー
５０  連結部材
５１  係止具
【図１】
0004502399.tif 000002
【図２】
0004502399.tif 000003
【図３】
0004502399.tif 000004
【図４】
0004502399.tif 000005
【図５】
0004502399.tif 000006
【図６】
0004502399.tif 000007
【図７】
0004502399.tif 000008
【図８】
0004502399.tif 000009
【図９】
0004502399.tif 000010
【図１０】
0004502399.tif 000011
【図１１】
0004502399.tif 000012
【図１２】
0004502399.tif 000013
【図１３】
0004502399.tif 000014
【図１４】
0004502399.tif 000015
【図１５】
0004502399.tif 000016
【図１６】
0004502399.tif 000017
【図１７】
0004502399.tif 000018
【図１８】
0004502399.tif 000019